(57)【要約】【課題】外部から簡単に検査することのできる電気機器を提供することである。【解決手段】電気機器（１）のオーディオポート（１３，１４）を、電気機器（１）を検査するためのインタフェースとして使用する。【選択図】図１
2004340919.tif 000002
【特許請求の範囲】
【請求項１】
電気機器を検査するための方法において、
電気機器（１）のオーディオポート（１３，１４）を、電気機器（１）を検査するためのインタフェースとして使用する、ことを特徴とする方法。
【請求項２】
検査のためのデジタルデータを電気機器（１）にシリアル伝送し、
該データは２０ｋＨｚ以上の周波数を有するキャリア周波数に重畳変調されており、とりわけキャリア周波数は１００ｋＨｚ〜２０ＭＨｚの周波数領域にある、請求項１記載の方法。
【請求項３】
電気機器（１）のステレオ出力ポート（１３，１４）を検査に使用し、一方のポート（１４）をデジタル信号を電気機器（１）に伝送するために、他方のポート（１３）をデジタル信号を電気機器（１）から受信するために使用する、請求項１または２記載の方法。
【請求項４】
電気機器（１）の発振器（２５）をキャリア周波数の発生のために使用し、
デジタル信号はオン／オフスイッチングモードによりキャリア周波数に重畳変調される、請求項２または３記載の方法。
【請求項５】
テストアダプタ（２）をテストに使用し、
該テストアダプタは、電気機器（１）のオーディオポート（１３，１４）に接続するための第１のポート（１１，１２）と、
コントロールコンピュータ（３）に接続するための第２のポート（１７）と、
コントロールコンピュータ（３）からのデジタル信号を、周波数２０ｋＨｚ以上のキャリア周波数の重畳変調するための発振器（１９）とを有する、請求項１から４までのいずれか１項記載の方法。
【請求項６】
ａ）電気機器（１）をパワーオンした後、電気機器（１）はキャリア信号を該電気機器（１）の第１のオーディオ出力端（１３）に供給し、
ｂ）電気機器は検出器（２１）を介して、キャリア信号が第２のオーディオポート（１４）にループバックされたか否かをチェックし、
ｃ）キャリア信号が検出器（２１）により検出されなければ、キャリア信号をスイッチオフし、電気機器は通常動作モードへ移行し、
ｄ）キャリア信号が検出器（２１）により検出されれば、電気機器はコントロールコンピュータ（３）により動作するテストモードへ移行する、請求項１から５までのいずれか１項記載の方法。
【請求項７】
キャリア周波数が第２のオーディオポート（１４）にループバックされる場合、電気機器（１）はＤＣブロッキングキャパシタ（３４）をバイパスし、供給電圧をテストアダプタ（２）に供給し、
該供給電圧はテストアダプタ（２）により、テストアダプタ（２）のインタフェースボード（１０）上の２つのオーディオポート（１１，１２）間のループを開放するために使用される、請求項６記載の方法。
【請求項８】
オーディオポート（１３，１４）と、外部コントロールコンピュータ（３）により制御されるテストモードとを有する電気機器において、
オーディオポート（１３，１４）はテスト信号をコントロールコンピュータ（３）に伝送し、またテスト信号をコントロールコンピュータ（３）から受信するために使用される、ことを特徴とする電気機器。
【請求項９】
電気機器（１）は発振器（２５）および変調器を有し、変調されたキャリア信号を発生し、デジタルテスト信号をオーディオポート（１３）を介して伝送する、請求項８記載の電気機器。
【請求項１０】
電気機器（１）はローパスフィルタおよびハイパスフィルタを有し、テスト信号とアナログオーディオ信号（２６，３６）を組合せ、および／またはテスト信号とアナログオーディオ信号（２０，３５）を分離する、請求項８または９記載の電気機器。
【請求項１１】
電気機器は復調器（２１，２２）とテストアダプタ検出器（３６）を有し、テストアダプタが電気機器のオーディオポート（１３，１４）に接続されていることを検出する、請求項８から１０までのいずれか１項記載の方法。
【請求項１２】
電気機器は、ステレオ出力信号用の２つのオーディオ出力ポート（１３，１４）を有し、
一方のポート（１３）はシリアルデジタル信号の伝送に使用され、他方のポート（１４）はシリアルデジタル信号の受信に使用される、請求項８から１１までのいずれか１項記載の電気機器。
【請求項１３】
一方のオーディオポート（１３）は、電気機器（１）に接続されたテストアダプタ（２，１０）の回路に給電するため使用される、請求項８から１２までのいずれか１項記載の電気機器。
【請求項１４】
請求項１から７までのいずれか１項記載の方法を使用する電気機器。
【発明の詳細な説明】
【技術分野】
【０００１】
本発明は、オーディオポートを有する電気機器、およびこの電気機器の検査方法に関する。本発明はとりわけ、ステレオ出力信号に対する２つのオーディオポートを備えるセットトップボックスまたはデジタル衛星受信機に関する。
【背景技術】
【０００２】
セットトップボックスおよびデジタル衛星受信機はデジタルテレビジョンケーブルプログラムまたは衛星プログラムを受信するために広く使用されており、通常はスマートカードによって、スクランブルされた有料テレビジョンチャネルをデコードすることができる。ＩＣカードとして知られるスマートカードは携帯情報メディアであり、おおよそクレジットカードの大きさを有する。本明細書でセットトップボックスという表現は、デジタルおよび／またはアナログテレビジョン番組をケーブル、衛星、または地上波を介して受信するための電気機器を表わすために使用する。
【０００３】
セットトップボックスは複雑なデジタル機器であり、製造中に厳しい検査が必要であり、また場合により販売後も保守が必要である。それは高度に集積化されたデジタルアーキテクチャによるものである。いわゆる工場機能検査のためのいわゆるＦＦＴインタフェースを備えるデジタルセットトップボックスが公知である。このＦＦＴインタフェースは、セットトップボックスハードウエアをそのローレベルドライバを通して外部コンピュータ、例えばＰＣにより駆動することができるツールである。このコンピュータはＲＳ２３２規格のシリアル接続を介してセットトップボックスと接続されており、セットトップボックスはそれぞれのポートを例えば背面に有する。このツールにより簡単に工場プロセス中に、また電気機器の製造後にこのボックスが閉じられていても、消費者テストを行うことができる。このことは販売後の診断または開発テストに対して非常に有益である。
【０００４】
セットトップボックスのサイズは、集積回路の集積度が上昇するにつれ、ますます縮小している。しかしとりわけいわゆるＳＣＡＲＴコネクタが欧州では広く使用されており、リアパネルのかなりの部分を消費する。しかしセットトップボックスが小さくなればなるほど、コネクタのために使用できるスペースも小さくなる。セットトップボックスの基本動作に対して、少なくともビデオおよびオーディオコネクタを設けなければならず、オーディオ再生は通常はステレオであり、それぞれのコネクタをセットトップボックスの背面に設けなければならない。このコネクタは、個別コネクタの形態、専用信号のために複数のピンを有するただ１つのコネクタ、または個別コネクタと混合コネクタの組合せの形態である。
【０００５】
先行の欧州特許願０２２９１８３２９．０には機器の検査方法が開示されている。この方法は、機器のスマートカードリーダに取り付けられたテストアダプタを使用して機器を検査する。これによりＲＳ２３２インタフェースは回避される。しかしこの検査手続きを使用する場合、スマートカードを備える機器の通常動作を検査することはできない。セットトップボックスのすべての機能を検査するためには、コンピュータリンクがセットトップボックスにより提供される他の標準機能と排他的なものであってはならない。
【特許文献１】欧州特許願０２２９１８３２９．０
【発明の開示】
【発明が解決しようとする課題】
【０００６】
本発明の課題は、外部から簡単に検査することのできる電気機器を提供することである。
【課題を解決するための手段】
【０００７】
本発明によれば上記課題は、機器に存在するオーディオポートが機器を検査するためのインタフェースとして使用されることにより解決される。
【発明を実施するための最良の形態】
【０００８】
とりわけ機器のステレオ出力ポートが使用される。有利な実施例ではステレオ出力の一方のポートがデジタル信号をコントロールコンピュータから受信するのに使用され、他方のポートがデジタル信号を機器からコントロールコンピュータに伝送するのに使用される。これにより、セットトップボックスに対して広く使用されているＲＳ２３２と互換性のあるシリアル接続が可能である。
【０００９】
テスト信号とオーディオ信号の分離は、機器、コントロールコンピュータおよびオーディオ信号に対する増幅器間に接続されたテストアダプタを介して実行される。ハイパスフィルタおよびローパスフィルタを使用することで、オーディオ信号およびテスト信号をテストアダプトと機器で分離することができ、従って機器をテストする間も機器の機能性は完全に保たれる。有利はすでに存在する機器の水晶発振器を、デジタルデータを約２０ｋＨｚ以上の周波数のキャリア信号に変調するため使用する。この周波数は１〜１０ＭＨｚの範囲の周波数である。
【００１０】
本発明はとりわけ、しばしばＲＳ２３２規格リンクの設けられたセットトップボックスを検査するのに有用である。しかし本発明はまた他のデジタル機器、例えばビデオレコーダ、オーディオシステムなど通常は少なくとも１つのオーディオポートを有するデジタル機器の検査にも使用できる。
【００１１】
本発明を以下、有利な実施例と図面を用いて詳細に説明する。
【実施例】
【００１２】
図１にはデジタルセットトップボックス１に対するテスト構成が示されている。このテスト構成はコントロールコンピュータ３とテストアダプタ２を有し、テストアダプタ２はセットトップボックス１とコントロールコンピュータ３との間のインタフェースとして使用される。テストアダプタ２はこの実施例では実質的にインタフェースボードであり、これはデータをセットトップボックス１のオーディオポートとコントロールコンピュータ３との間で伝送する。この実施例では、接続はオーディオケーブル４とＲＳ２３２ケーブル５を介して行われ、セットトップボックス１とコントロールコンピュータ３との間の双方向シリアルデータ接続を行う。
【００１３】
テストアダプタ２はさらにアナログオーディオ出力端を有しており、これによりケーブル６を介してオーディオ信号をスピーカにより再生するための増幅器（図示せず）と接続することができる。このテスト構成はさらに、テストアダプタ２に電圧を供給するためのパワーサプライ７を有することができ、これは例えば３．３Ｖまたは５Ｖである。択一的にテストアダプタ２は、下に説明するようにセットトップボックス１から給電することもできる。
【００１４】
テストアダプタ２は例えば単純な回路ボードとすることができ、アナログオーディオ信号とデジタルテスト信号を分離する。さらにこの回路ボードはオーディオケーブル４と６、およびＲＳ２３２ケーブル５に対するそれぞれのプラグを有する。従ってセットトップボックス１は現在まで広く使用されているＲＳ２３２ポートをコントロールコンピュータと接続するための必要としない。図１に示したテスト構成によって、セットトップボックス１の機能性はすべてのテスト手続きの間、セットトップボックスの裏面に設けられた以前のＲＳ２３２ポートと同じように完全に維持される。
【００１５】
オーディオケーブル４と６には従来のアナログオーディオケーブル、例えばＲＣＡコネクタが使用されるから、これを介してセットトップボックス１のオーディオ信号は約２０Ｈｚから２０ｋＨｚの低周波数レンジで伝送される。テストアダプタ２により、コントロールコンピュータ３からのデジタルテスト信号は高周波信号、例えば約１〜１０ＭＨｚのキャリア周波数に変調され、これはセットトップボックス１で復調器により復調される。低周波信号と高周波信号はテストアダプタ２とセットトップボックス１で例えば簡単なローパスフィルタおよびハイパスフィルタにより容易に分離できる。セットトップボックス１のコントロールコンピュータ３のテスト信号への応答はセットトップボックス１の発振器を介してキャリア周波数に変調され、オーディオケーブル４を介してテストアダプタ２に伝送され、テストアダプタ２で復調され、引き続きケーブル５とテストアダプタ２を介してコントロールコンピュータ３に伝送される。
【００１６】
とりわけセットトップボックス１は２つのオーディオ出力ポートをステレオ出力信号に対して有し、またテストアダプタ２はそれぞれ２つのオーディオポートをセットトップボックス１との接続のために有する。一方のオーディオポートはテスト信号をコントロールコンピュータ３からテストアダプタ２を介してセットトップボックス１に伝送するのに使用され、他方のオーディオポートはセットトップボックス１の応答をコントロールコンピュータ３へ伝送するのに使用される。
【００１７】
テストアダプタ２とセットトップボックス１のそれぞれの回路の概略的ブロック回路図が図２に示されている。テストアダプタ２はインタフェースボード１０を有し、これは２つのオーディオ出力ポート１１，１２を、検査すべきセットトップボックス１の左右のステレオ出力ポート１３，１４に接続するために有する。インタフェースボード１０はさらにオーディオポート１５，１６をそれぞれ増幅器と接続するために有し、さらにＲＳ２３２ポート１７をコントロールコンピュータ３とシリアル接続するために有する。コントロールコンピュータ３からのテスト信号はバッファ段１８でバッファされ、高周波搬送波に発振器１９を使用して重畳変調される。これはセットトップボックス１にオーディオポート１２と１４を介して伝送するためである。
【００１８】
インタフェースボード１０から到来するテスト信号はハイパスフィルタ２０を介して検出器２１に入力される。この検出器はデジタルテスト信号を高周波搬送波から分離および抽出する。検出器２１には弁別器とバッファ段２２が後置されている。次にテスト信号は中央演算ユニット（ＣＰＵ）にシリアルＲＳ２３２受信端末２３を介して公知のように入力される。
【００１９】
ＣＰＵからの応答信号はＲＳ２３２伝送チャネル２４を介して入力される。この応答信号は発振器２５の高周波信号により高周波搬送波へのデジタル信号に変調される。次のこの信号はハイパスフィルタ２６を介してセットトップボックス１の左オーディオ出力チャネルの出力ポート１３に入力され、インタフェースボード１０のオーディオポート１１に伝送される。インタフェースボード１０では変調されたキャリア信号がハイパスフィルタ２７を介して左オーディオ信号から分離され、検出器２８を介して復調される。検出器２８の出力信号は弁別器２９，バッファ段１８およびＲＳ２３２ポートを介してコントロールコンピュータに伝送される。
【００２０】
セットトップボックス１の左右のステレオチャネル３１，３２のオーディオ出力信号はＤＣカットキャパシタ３３，３４とローパスフィルタ３５，３６を介して、２０〜２０ＫＨｚの公知のオーディオ周波数レンジにある直流のない低周波信号としてオーディオ出力ポート１３，１４に供給される。インタフェースボード１０では、オーディオ信号がローパスフィルタ３７，３８とＤＣカットフィルタ３９，４０を介してオーディオ出力ポート１５，１６に供給され、オーディオケーブルを介してオーディオ増幅器に伝送される。
【００２１】
発振器１９と２５のキャリア周波数は例えば１〜１０ＭＨｚの発振周波数を有する水晶発振器により形成することができ、同じ周波数を有する必要はない。低周波オーディオ信号と高周波キャリア信号とは大きく周波数が離れているから、非常に簡単なローパスフィルタとハイパスフィルタ２０，２６，２７，３５，３６，３７，３８を使用することができ、単純なパッシブ型レジスタ／キャパシタ（ＲＣ）フィルタとすることができる。
【００２２】
インタフェースボード１０のアクティブ回路に対する電力は例えば別個のパワーサプライにより、図１で説明したように供給することができる。供給電圧はまたセットトップボックス１により供給することもできる。これについては図２を参照して説明する。
【００２３】
セットトップボックス１がスイッチオンされると、発振器２５はインタフェースボード１０が接続されているか否かを検査するためにアクティベートされる。インタフェースボード１０が接続されていれば、インタフェースボード１９のリレー３０または他のスイッチ（これは電力なしの時にクローズである）がポート１１と１２を相互に接続する。そしてセットトップボックスのポート１３と１４の間でクローズループが存在することとなり、従ってセットトップボックス１の検出器２１と弁別器２２は発振器２５の無変調発振信号を受信する。
【００２４】
弁別器２２には、論理回路４２が接続された積分器４１が接続される。キャリア周波数が検出器２１に存在すると、積分器３１は信号を論理回路３２に供給し、論理回路３２はスイッチ４３を閉成し、供給電圧をインタフェースボード１０に供給する。この実施例ではスイッチ３４はＤＣカットキャパシタ３４をオーディオ出力増幅器３２とローパスフィルタ３６との間でバイパスし、オーディオ増幅器３０のＤＣレベルを利用する。このＤＣ電力は増幅器３０により簡単に取り扱うことができる。なぜなら、インタフェースボード１０に対して必要な電力は非常に低いからである。
【００２５】
インタフェースボード１０は電圧調整器４４を有する。この電圧調整器はオーパスフィルタ４５を介して、セットトップボックス１から到来するＤＣ供給電圧により電力供給され、電圧調整器４４はインタフェースボード１０の全てのアクティブ回路にそれぞれ供給電圧を供給する。電圧調整器４４はまたリレー３０をオープンし、オーディオポート１３と１４の間のループを開く。そしてインタフェースフェーズボード１０は完全に動作できるようになり、セットトップボックス１のテストを待機する。
【００２６】
セットトップボックスがスイッチオンされたときに、インタフェースボードがセットトップボックス１に接続されていなければ、ポート１３と１４の間のループは存在しない。この場合、セットトップボックスは、インタフェースボードが接続されていないことを識別し、従って発振器２５をセットトップボックス１の通常動作のためにスイッチオフする。
【００２７】
セットトップボックス１がインタフェースボード１０の接続を、クローズループを介して識別すると、セットトップボックス１はテストモードに移行し、デジタル命令信号を待機する。このデジタル命令信号は、図１に基づいて説明したようにインタフェースボード１０に接続されたコントロールコンピュータから供給される。インタフェースボード１０のＲＳ２３２ポート１７はＲＳ２３２規格に準拠するから、インタフェースボード１０はコントロールコンピュータに対して透明であり、コントロールコンピュータのハードウエアまたはソフトウエアをセットトップボックス１の検査のために変更する必要はない。変調されたキャリア信号とオーディオ信号はインタフェースボードで、セットトップボックスと同じように分離されるから、セットトップボックスはテストのためにインタフェースボード１０を使用する際に完全に機能を維持する。セットトップボックス１のステレオ出力信号も、オーディオ増幅器がオーディオ出力ポート１５と１６に接続されていればテストに含むことができる。インタフェースボード１０は通常のセットトップボックス仕様にオーディオ出力に関して準拠するように構成されているから、インタフェースボードは例えば３００Ωから１ｋΩの間の出力インピーダンスを供給する。
【００２８】
発振器１９と２５のキャリア周波数の選択は、シリアルリングボーレートに直接関連する。ビット持続時間とキャリア期間との比が１０より大きいことが信頼性のある動作に対する良好な基礎である。またキャリア周波数はセットトップボックスの最大オーディオ周波数よりも約２０から５０倍だけ高くなければならない。これはオーディオ周波数とＲＦキャリア周波数とをセットトップボックス１とインタフェースボード１０で良好かつ安価に分離することを保証するためである。セットトップボックス１にはすでに周波数４〜５ＭＨｚの発振器２５が使用されているから、これをセットトップボックス１のＣＰＵから到来する伝送デジタル信号の変調に使用することができる。インタフェースボード１０の発振器１９はコントロールコンピュータからキャリア周波数で到来するデジタル信号を変調する。この発振器も同じ周波数レンジで動作することができる。
【００２９】
これらの周波数により約４００ｋＨｚの最大ボーレートを簡単にインタフェースボード１０とセットトップボックス１により取り扱うことができる。ＲＳ２３２接続を介してデジタルセットトップボックスをテストするための典型的なボーレートは通常は１１５．３キロボーを越えない。
【００３０】
ＲＦキャリア周波数上のデジタル信号の変調を以下、図３に基づいて説明する。キャリア周波数はスイッチにより変調がオン／オフされる。このスイッチにはデジタル信号が供給される。論理値「０」はＲＦキャリアオフにより表され、論理地「１」はRFキャリアオンにより表される。テスト信号はビット毎にデータワードに伝送することができる。このデータワードは例えば情報の８ビットとパリティビットを有する。
【００３１】
このタイプの基本キャラクタフォーマットの例が図３ａに示されている。情報を伝送する必要がなく、伝送チャネルが待機状態であれば、ＲＦキャリア信号が存在する。そして時点ｔ１で情報伝送が開始される。変調されたデータは、常に「０」である第１ビットと、値「０」または「１」を備える８つのデータビットをそれぞれ有する。時点ｔ２でパリティビットが伝送され、データビット１から８に対するパリティ情報を提供する。次に「ストップ」情報にキャリア周波数オンが供給される。
【００３２】
全てのビットは同じ所定の長さを有し、キャリア周波数の時間周期は約１ビットの持続時間の１／１０であるから、値「１」を備える１ビットはキャリア周波数の約１０発振サイクルを有する。例えばビットシーケンス“１１０１１１０１”を有する情報の１バイトにより変調器に対するエンベロープ信号は図３ｂに示すようになる。図３ｂのキャラクタ値に対して生じた変調キャリア周波数は図３ｃに示されている。
【００３３】
キャリア周波数のレベルをこのように定義することにより、セットトップボックス１はコントロールコンピュータからのデータの受信を、伝送されるビットよりも格段に長い時間の間、常に監視することができ、インタフェースカードが除去されているか否かを決定することができる。キャリア周波数が検出器２１を介して検出されなければ、発振器２５により供給されるキャリア周波数はスイッチオフされ、セットトップボックス１は通常動作モードに復帰する。この場合、ＲＳ２３２リンクはディスエーブルされる。
【００３４】
テストアダプタの存在をセットトップボックス１により検出するのには複数の手段がある：１つの可能性はセットトップボックスがテストアダプタ検出器４６を有することであり、これは図２に示されている。このテストアダプタ検出器は、オーディオ出力端１４と検出器２１に供給されるキャリア信号を検出するために常にオンである。別の可能性は、発振器２５からのキャリア信号を、例えばセットトップボックス１がパワーオンした後に使用して、オーディオポート１３と１４の間のループを監視し、ループが閉じていればセットトップボックス１をテストモードのために初期化することである。このテストモードでは、セットトップボックス１はコントロールコンピュータとの組合せでテストに対して待機状態である。
【００３５】
セットトップボックス１に対するテストシーケンスの例を図４に基づいて説明する：図４ａには変調されたキャリア信号がキャラクタ1,...,Ｎ＋２により示されており、シリアルデータのシーケンスはテスト情報を提供する。キャリア信号は図３に基づいて説明したように変調されている。
【００３６】
図４ｂには、図４ａのキャリア信号に対するセットトップボックス１の応答が示されている。セットトップボックス１が情報キャラクタを備えるキャリア信号を受信すると、セットトップボックスはインタフェースカードがセットトップボックスのテストのために接続されていると仮定する。セットトップボックス１はテストモードに移行し、ここでセットトップボックス１はコントロールコンピュータ３からの情報データに応答し、それぞれのテスト結果を、オーディオポート１３を介してコントロールコンピュータ３に供給する。キャリア信号が存在しないか、または検出されなくなると、セットトップボックス１はタイムアウトインターバルの後、テストが完了し、インタフェースボード１０が除去されたと仮定する。
【００３７】
セットトップボックス内でＲＳ２３２リンクを、オーディオポート１３と１４を介して確立するために必要な種々の機能は、非常に低コストで達成される。ただ１つの抵抗とキャパシタを有する低コストのハイパスおよびローパスＲ／Ｃフィルタを使用することができる。検出器２１としてはダイオードおよびキャパシタを使用することができる。またキャリア信号の発生のためには、すでにセットトップボックスに備わっている発振器２５を使用することができる。変調器も簡単に構成することができる。なぜならキャリア周波数の「オン／オフ」変調だけが情報データの伝送に使用されるからである。変調は例えば単純な抵抗スイッチにより実行することができ、この抵抗スイッチはキャリア信号を伝送されたデータに応答してオンとオフに切り替える。インタフェースボード１０への電力はセットトップボックス１により、やはり非常に少数の素子を用いて供給することができる。これについては図２に基づいて説明した。択一的にセットトップボックスのコストを最小に維持すべき場合には、インタフェースボード１０には外部パワーサプライにより給電することができる。これについては図１で説明した。
【００３８】
本発明は図示の実施例に制限されるものではない。種々の変形実施例が当業者であれば容易に可能である。データ伝送とデータ受信は１つのオーディオポートだけを介して行われるように構成することができる。これにはセットトップボックスとインタフェースボードとで分離するのに十分な周波数差を有する２つのキャリア信号を使用すれば良い。本発明はとりわけ、デジタルサラウンド増幅器、DVDプレーヤまたはＤＶＤレコーダ、デジタルテレビジョン受信機、および少なくとも１つのオーディオポートを備える他のデジタル装置にも、上記のセットトップボックスの場合と同じようにして適用することができる。
【図面の簡単な説明】
【００３９】
【図１】セットトップボックスを検査するためのテスト構成を示す。
【００４０】
【図２】インタフェースボードおよび関連のセットトップボックスの回路素子のブロック回路図である。
【００４１】
【図３】キャリア信号に変調されたデジタル信号の線図である。
【００４２】
【図４】セットトップボックスに対するテストシーケンスのデータストリングを示す線図である。
【符号の説明】
【００４３】
１  セットトップボックス
２  テストアダプタ
３  コントロールコンピュータ
４、６  オーディオケーブル
５  ＲＳ２３２ケーブル
７  パワーサプライ
１０  インタフェースボード
１１，１２  オーディオポート
１３，１４  オーディオステレオ出力ポート
１８、２２  バッファ段
１９  発振器
２０  ハイパスフィルタ
２１  検出器
【図１】
2004340919.tif 000003
【図２】
2004340919.tif 000004
【図３】
2004340919.tif 000005
【図４】
2004340919.tif 000006